(57)【要約】【課題】ろ過部の衛生面上の問題を解決すると共に、浄水器本体と整水器本体とを接続する原水供給路及び浄水供給路の取り回しをフレキシブルなものとして流し台の収容部壁面に近接して浄水器本体を配置することのできる電解水生成装置を提供する。【解決手段】原水を浄化するろ過部（カートリッジ１５）を有した浄水器本体１と、ろ過部でろ過された浄化水を陰極水と陽極水とに電気分解する電解槽１０を有した整水器本体２とを別体として構成し、浄水器本体１と整水器本体２とを、該整水器本体２から前記ろ過部へと原水を供給する原水供給配管８と該ろ過部から該整水器本体２へと原水を浄化した浄化水を供給する浄水供給路９とで接続し、前記浄水器本体１を、カートリッジ１５と、該カートリッジ１５を内部に収容する本体ケース１６及び蓋１７とで構成した。【選択図】図４
2008018327.tif 000002
【特許請求の範囲】
【請求項１】
原水を浄化するろ過部を有した浄水器本体と、前記ろ過部でろ過された浄化水を陰極水と陽極水とに電気分解する電解槽を有した整水器本体とを別体として構成し、
前記浄水器本体と前記整水器本体とを、該整水器本体から前記ろ過部へと原水を供給する原水供給路と該ろ過部から該整水器本体へと原水を浄化した浄化水を供給する浄水供給路とで接続し、
前記浄水器本体を、前記ろ過部と、該ろ過部を内部に収容する筐体とで構成した
ことを特徴とする電解水生成装置。
【請求項２】
請求項１に記載の電解水生成装置であって、
前記筐体の一面に、この一面と隣り合う片方の面又は両方の面に開口する溝を設け、前記原水供給路を構成する原水供給配管及び該原水供給配管を筐体に接続させる原水供給用接続部材と、前記浄水供給路を構成する浄水供給配管及び該浄水供給配管を筐体に接続させる浄水供給用接続部材とを備え、
前記原水供給用接続部材及び前記浄水供給用接続部材を前記溝が形成される部位に前記筐体に対して回動自在に取り付けて、前記原水供給配管及び前記浄水供給配管を、前記溝に沿ってその配管向きを自由自在に配索可能とした
ことを特徴とする電解水生成装置。
【請求項３】
請求項２に記載の電解水生成装置であって、
前記一面と隣り合う片方の面又は両方の面の稜線部分を凹ませて前記溝と連続する凹部を、前記溝と略直交する方向に形成した
ことを特徴とする電解水生成装置。
【請求項４】
請求項１から請求項３の何れか一つに記載の電解水生成装置であって、
前記原水供給路又は前記浄水供給路の途中に、前記電解槽での電気分解を促進させる電気分解促進剤を投入する投入口を設けた
ことを特徴とする電解水生成装置。
【請求項５】
請求項３に記載の電解水生成装置であって、
前記凹部に、前記電解槽での電気分解を促進させる電気分解促進剤を投入する投入口を設けた
ことを特徴とする電解水生成装置。
【請求項６】
請求項１から請求項６の何れか一つに記載の電解水生成装置の前記浄水器本体を、流し台のスライド収納部に配置した
ことを特徴とする流し台。
【発明の詳細な説明】
【技術分野】
【０００１】
本発明は、アルカリイオン整水器などに使用される電解水生成装置及びこれを備えた流し台に関する。
【背景技術】
【０００２】
アンダーシンク型の浄水器付整水器は、十分な設置空間を確保できる流し台の天板上ではなく設置空間の狭い流し台下部に設置されるため、浄水器と整水器を同一ケーシング内に収容させた一体型構造のものが多い。
【０００３】
しかしながら、浄水器はカートリッジ（ろ過部）を取り替える必要があるため、この一体型構造のものでは取り替え作業が面倒であることから従来構造のものに代えて整水器の任意の箇所に取り付け自在なホルダーを設け、このホルダーに浄水器を着脱自在とした浄水器付整水器が提案されている（例えば、特許文献１参照）。
【０００４】
この浄水器付整水器によれば、浄水器をホルダーから取り外して新しいものに取り替える作業が極めて容易になる他、整水器周囲の任意の箇所に浄水器を取り付けることが可能となる。
【０００５】
この他、アンダーシンク型浄水器としては、流し台のシンク下方空間に設けられた引き出しに浄水器を横置きにして設けると共に、浄水出口とシンク用水栓とを可撓性導管（可撓性ホース）で接続し、さらに引き出しの出し入れに伴う可撓性ホースの伸縮部分を収納する収納空間を設けた構造のものが提案されている（例えば、特許文献２参照）。
【０００６】
このアンダーシンク型浄水器によれば、引き出しの出し入れに伴って伸縮する可撓性ホース部分は、シンク用水栓下方の引き出し後方空間に配されることによって、引き出し後方の利用し難い空間の有効利用ができると共に、引き出しの出し入れの邪魔にならず、さらに、引き出しの下方空間に収納される鍋などの収納の邪魔にもならない。
【特許文献１】実用新案登録第２６０１４１５号公報
【特許文献２】特開２００５−２３２８７３号公報
【発明の開示】
【発明が解決しようとする課題】
【０００７】
しかしながら、特許文献１に記載の浄水器付整水器では、カートリッジが露出しているため、衛生面上の問題がある。
【０００８】
一方、特許文献２に記載のアンダーシンク型浄水器では、ろ過部への供給路とろ過部でろ過された浄化水が流入する浄水供給路とを可撓性ホースで構成してもコンパクトに前記供給路と浄水供給路とを屈曲させることができないため、収納部の壁面近傍に浄水器を設置することができず、収納空間を損なってしまう。
【０００９】
そこで本発明は、このような従来の課題を解決するために、ろ過部の衛生面上の問題を解決すると共に、浄水器本体と整水器本体とを接続する原水供給路及び浄水供給路の取り回しをフレキシブルなものとして流し台の収容部壁面に近接して浄水器本体を配置することのできる電解水生成装置及びそれを備えた流し台を提供することを目的とする。
【課題を解決するための手段】
【００１０】
請求項１に記載の電解水生成装置は、原水を浄化するろ過部を有した浄水器本体と、前記ろ過部でろ過された浄化水を陰極水と陽極水とに電気分解する電解槽を有した整水器本体とを別体として構成し、前記浄水器本体と前記整水器本体とを、該整水器本体から前記ろ過部へと原水を供給する原水供給路と該ろ過部から該整水器本体へと原水を浄化した浄化水を供給する浄水供給路とで接続し、前記浄水器本体を、前記ろ過部と、該ろ過部を内部に収容する筐体とで構成したことを特徴とする。
【００１１】
請求項２に記載の電解水生成装置は、前記筐体の一面に、この一面と隣り合う片方の面又は両方の面に開口する溝を設け、前記原水供給路を構成する原水供給配管及び該原水供給配管を筐体に接続させる原水供給用接続部材と、前記浄水供給路を構成する浄水供給配管及び該浄水供給配管を筐体に接続させる浄水供給用接続部材とを備え、前記原水供給用接続部材及び前記浄水供給用接続部材を前記溝が形成される部位に前記筐体に対して回動自在に取り付けて、前記原水供給配管及び前記浄水供給配管を、前記溝に沿ってその配管向きを自由自在に配索可能としたことを特徴とする。
【００１２】
請求項３に記載の電解水生成装置は、前記一面と隣り合う片方の面又は両方の面の稜線部分を凹ませて前記溝と連続する凹部を、前記溝と略直交する方向に形成したことを特徴とする。
【００１３】
請求項４に記載の電解水生成装置は、前記原水供給路又は前記浄水供給路の途中に、前記電解槽での電気分解を促進させる電気分解促進剤を投入する投入口を設けたことを特徴とする。
【００１４】
請求項５に記載の電解水生成装置は、前記凹部に、前記電解槽での電気分解を促進させる電気分解促進剤を投入する投入口を設けたことを特徴とする。
【００１５】
請求項６に記載の流し台は、請求項１から請求項６の何れか一つに記載の電解水生成装置の前記浄水器本体を、流し台のスライド収納部に配置したことを特徴とする。
【発明の効果】
【００１６】
請求項１に記載の発明によれば、ろ過部を筐体の内部に収容させたので、ろ過部が外気に露出しないことから、当該ろ過部の衛生を確保することができる。
【００１７】
請求項２に記載の発明によれば、筐体の一面に、この一面と隣り合う片方の面又は両方の面に開口する溝を設け、原水供給用接続部材と浄水供給用接続部材を前記溝が形成される部位に該筐体に対して回動自在に取り付けて、原水供給配管及び浄水供給配管を、前記溝に沿ってその配管向きを自由自在に配索可能としたので、溝が設けられた一面を流し台の収納部壁面に近接して配置させた場合でも原水供給配管及び浄水供給配管が溝に沿って自由に配索できることからこれら配管が邪魔にならない。したがって、本発明によれば、原水供給配管及び浄水供給配管の取り回しに気を遣うことなく浄水器本体を流し台の収納部壁面に近接して配置させることできる。
【００１８】
請求項３に記載の発明によれば、溝が形成された筐体の一面と隣り合う片方の面又は両方の面の稜線部分を凹ませて前記溝と連続する凹部を、この溝と略直交する方向に形成したので、該凹部内にも原水供給配管及び浄水供給配管を配索させることができ、さらに前記溝と略直交する方向にも配管を配索させることが可能となる。
【００１９】
請求項４に記載の発明によれば、原水供給路又は浄水供給路の途中に、電解槽での電気分解を促進させる電気分解促進剤を投入する投入口を設けたので、この電気分解促進剤の添加を容易に実施することが可能となる。
【００２０】
請求項５に記載の発明によれば、浄水器本体の筐体に形成した凹部に電気分解促進剤を投入する投入口を設けたので、筐体内部に収容したろ過部を取り外すことなく投入口から簡単に電気分解促進剤を添加することができる。
【００２１】
請求項６に記載の発明によれば、本発明の浄水器本体を、流し台のスライド収納部に配置させることで、そのスライド収納部壁面に浄水器本体を近接させて配置させることができる。
【発明を実施するための最良の形態】
【００２２】
以下、本発明を適用した具体的な実施の形態について図面を参照しながら詳細に説明する。本実施の形態は、本発明に係る電解水生成装置を流し台の下部空間に配置したアンダーシンク型の電解水生成装置の例である。
【００２３】
「実施例」
図１は本発明の電解水生成装置を流し台に設置したときの配置例を示し、その流し台を正面から見た配置図、図２は図１の流し台を平面から見た配置図、図３は本発明の浄水器本体の斜視図、図４は図３の浄水器本体の分解斜視図、図５は図４の浄水器本体のＡ−Ａ線断面図、図６は電気分解促進剤を添加する添加部分の断面図である。
【００２４】
本実施例の電解水生成装置は、原水を浄化するろ過部を有した浄水器本体１と、ろ過部でろ過された浄化水を陰極水と陽極水とに電気分解する電解槽を有した整水器本体２とを備えている。
【００２５】
整水器本体２は、図１に示すように、流し台３のシンク４が設けられる下部空間５内に配置され、その下部空間５を上下に仕切る仕切板６の上にその長手方向を高さ方向に向けて立設されている。整水器本体２には、原水を整水器本体２の底部からその内部に流入させる原水流入路を構成する原水流入配管７と、流入させた原水を浄水器本体１のろ過部へと供給する原水供給路を構成する原水供給配管８と、ろ過部でろ過された浄化水を再び整水器本体２へと供給する浄水供給路を構成する浄水供給配管９と、浄化水を電解槽１０で陰極水と陽極水とに電気分解してシンク４の上部に設けられた水栓１１へと吐出させる第１吐水路１２及び第２吐水路１３と、が接続されている。
【００２６】
浄水器本体１は、図１に示すように、流し台３の仕切板６の下方に設けられたスライド収納部１４に配置されている。スライド収納部１４は、図２に示すように、流し台３に対して二点鎖線で示すように引き出し自在に構成されており、浄水器本体１を下部空間５の内部と外部との間で出し入れ可能としている。
【００２７】
かかる浄水器本体１は、図３から図６に示すように、原水を浄化するろ過部であるカートリッジ１５と、このカートリッジ１５を内部に収容する筐体である本体ケース１６及びこの本体ケース１６に着脱自在に取り付けられる蓋１７とからなる。
【００２８】
カートリッジ１５は、活性炭層や中空糸膜層を内部に有し、水道水などの原水を浄化する。本体ケース１６には、前記カートリッジ１５を装着させるカートリッジ装着部１８が形成されている。また、本体ケース１６には、前記した原水供給配管８をこの本体ケース１６に取り付けるための原水供給路を構成する原水供給用接続部材である原水供給用接続プラグ１９と、前記浄水供給配管９をこの本体ケース１６に取り付けるための浄水供給路を構成する浄水供給用接続部材である浄水供給用接続プラグ２０と、が回動自在に取り付けられている。
【００２９】
また、本体ケース１６には、前記カートリッジ装着部１８とは反対側の一面１６ａに、この一面１６ａと隣り合う両方の面（両側面）１６ｂ、１６ｃに開口する溝２１が設けられている。さらに、本体ケース１６には、前記一面１６ａと隣り合う両方の面１６ｂ、１６ｃの稜線部分Ｓ１、Ｓ２を凹ませて前記溝２１と連続する凹部２２、２３を、該溝２１と略直交する方向に形成されている。別の見方をすると、本体ケース１６の一面１６ａに、該本体ケース１６の長手方向と直交する短辺方向に断面略コ字状の溝２１を形成し、さらに前記一面１６ａとこれに隣り合う両方の面１６ｂ、１６ｃとの稜線部分Ｓ１、Ｓ２を切り欠いて凹ませることにより前記溝２１と連接させる凹部２２、２３を形成してある。
【００３０】
また、本体ケース１６の内部には、原水供給配管８から供給される原水を前記カートリッジ装着部１８に装着されたカートリッジ１５へと供給させるための原水導入管２４と、カートリッジ１５でろ過された浄化水を浄水供給配管９へと送給させるための浄水送給管２５とが設けられている。
【００３１】
さらに、本体ケース１６の内部には、図６に示すように、前記した電解槽１０での電気分解を促進させる電気分解促進剤をカートリッジ１５に流入する前の原水に供給するための電気分解促進剤添加部２６が設けられている。この電気分解促進剤添加部２６は、内部に例えばカルシウム製剤などからなる電気分解促進剤を充填させた促進剤収容本体２７を備え、その促進剤収容本体２７に設けられた接続脚部２８、２９を前記原水導入管２４の途中に設けられた連結脚部３０、３１に連結させることで取り付けられている。
【００３２】
そして、この促進剤収容本体２７の投入口３６は、前記一方の凹部２３に向けて設けられており、キャップ３７によって止栓されるようになっている。電気分解促進剤が不足した場合には、キャップ３７を外して促進剤収容本体２７内にカルシウム製剤を投入する。
【００３３】
なお、電気分解促進剤は、カートリッジ１５の前方で原水に添加する他に、カートリッジ１５のろ材に混ぜてもよく、或いは、カートリッジ１５で浄化された浄化水に添加してもよい。
【００３４】
前記原水供給用接続プラグ１９は、前記溝２１が形成される部位である一方の溝側壁２１ａにこの溝２１内へと突出する前記原水導入管２４の円筒連結部３２に対して約１８０度の回転角度を持って回動自在に取り付けられている。そして、この原水供給用接続プラグ１９と円筒連結部３２との間には、原水の漏洩を防止するためのシール部材３３が設けられている。
【００３５】
同様に、浄水供給用接続プラグ２０は、前記溝２１が形成される部位である他方の溝側壁２１ｂにこの溝２１内へと突出する前記浄水送給管２５の円筒連結部３４に対して約１８０度の回転角度を持って回動自在に取り付けられている。そして、この浄水供給用接続プラグ２０と円筒連結部３４との間には、浄化水の漏洩を防止するためのシール部材３５が設けられている。
【００３６】
このように回動自在に取り付けられた原水供給用接続プラグ１９と浄水供給用接続プラグ２０は、図３に示すように、前記溝２１に沿ってその配管向きを一方の凹部２３に接続口を向けた配置と、これとは反対の他方の凹部２２に接続口を向けた配置との間で任意の位置に設けることができるようになされている。
【００３７】
以上のように構成された電解水生成装置においては、図１及び図２に示す例におけるように、整水器本体２を流し台３の下部空間５の右角部奥に配置し、浄水器本体１をその長手方向を引き出し方向と直交する向きとして前記スライド収納部１４の右角部奥に配置した場合であっても、原水供給用接続プラグ１９及び浄水供給用接続プラグ２０が本体ケース１６に対して回動自在とされていることから、この原水供給用接続プラグ１９と浄水供給用接続プラグ２０に接続される原水供給配管８と浄水供給配管９を共に前記溝２１に沿ってその配管向きを１８０度の回転角度を持って配索することができ、出来るだけスライド収納部１４の壁面近傍に近づけて配置させることが可能となる。したがって、本実施例によれば、狭いスライド収納部１４の収納空間を有効に利用することが可能となる。
【００３８】
また、本実施例によれば、カートリッジ１５を本体ケース１６の内部に収容し蓋１７で覆うようにしているので、ろ材を外気に露出させることがなく衛生性を確保することができる。
【００３９】
また、本実施例によれば、原水供給路又は浄水供給路の途中に電気分解促進剤を投入する投入口３６を設けたので、電気分解促進剤の添加を容易に実施することが可能となる。
【００４０】
「その他の実施例」
前記した実施例では、浄水器本体１をその長手方向を引き出し方向と直交する向きとしてスライド収納部１４の右角部奥に配置したが、図７及び図８に示すように、浄水器本体１をその長手方向を引き出し方向としてスライド収納部１４の右角部奥に配置した場合でも、原水供給配管８及び浄水供給配管９が邪魔にならずに配索することができ、浄水器本体１をスライド収納部１４の壁面近傍に近づけて配置させることができる。
【００４１】
この他、図９及び図１０に示すように、浄水器本体１をその長手方向を引き出し方向と直交する向きとしてスライド収納部１４の左角部奥に配置した場合でも、同様に原水供給配管８及び浄水供給配管９が邪魔にならずに配索することができ、浄水器本体１をスライド収納部１４の壁面近傍に近づけて配置させることができる。
【００４２】
またこの他、図１１及び図１２に示すように、浄水器本体１をその長手方向を引き出し方向としてスライド収納部１４の左角部奥に配置した場合でも、同じく原水供給配管８及び浄水供給配管９が邪魔にならずに配索することができ、浄水器本体１をスライド収納部１４の壁面近傍に近づけて配置させることができる。
【００４３】
なお、これら各種の実施例では、整水器本体２の設置場所を流し台３の下部空間５の右角部奥に配置したが、左角部奥に整水器本体２を配置した場合であっても同様の効果が得られる。
【００４４】
このように、本実施例によれば、流し台３の下部空間５はその流し台３のタイプにより様々な形態とされているが、如何様にも浄水器本体１を壁面に近接させて配置させることができ、その狭い下部空間５を有効に利用することが可能となる。
【図面の簡単な説明】
【００４５】
【図１】本発明の電解水生成装置を流し台に設置したときの配置例を示し、その流し台を正面から見た配置図である。
【図２】図１の流し台を平面から見た配置図である。
【図３】本発明の浄水器本体の斜視図である。
【図４】図３の浄水器本体の分解斜視図である。
【図５】図４の浄水器本体のＡ−Ａ線断面図である。
【図６】電気分解促進剤を添加する添加部分の断面図である。
【図７】浄水器本体をその長手方向を引き出し方向に向けてスライド収納部の右角部奥に配置したときの流し台を正面から見た配置図である。
【図８】図７の流し台を平面から見た配置図である。
【図９】浄水器本体をその長手方向を引き出し方向と直交する向きとしてスライド収納部の左角部奥に配置したときの流し台を正面から見た配置図である。
【図１０】図９の流し台を平面から見た配置図である。
【図１１】浄水器本体をその長手方向を引き出し方向に向けてスライド収納部の左角部奥に配置したときの流し台を正面から見た配置図である。
【図１２】図１１の流し台を平面から見た配置図である。
【符号の説明】
【００４６】
１…浄水器本体
２…整水器本体
３…流し台
４…シンク
５…下部空間
７…原水流入配管（原水流入路）
８…原水供給配管（原水供給路）
９…浄水供給配管（浄水供給路）
１０…電解槽
１１…水栓
１２…第１吐水路
１３…第２吐水路
１５…カートリッジ（ろ過部）
１６…本体ケース
１６ａ…本体ケースの一面
１６ｂ，１６ｃ…一面に隣り合う面
１７…蓋
１９…原水供給用接続プラグ（原水供給用接続部材）
２０…浄水供給用接続プラグ（浄水供給用接続部材）
２１…溝
２２，２３…凹部
２６…電気分解促進剤添加部
３６…投入口
３７…キャップ
Ｓ１，Ｓ２…稜線部分
【図１】
2008018327.tif 000003
【図２】
2008018327.tif 000004
【図３】
2008018327.tif 000005
【図４】
2008018327.tif 000006
【図５】
2008018327.tif 000007
【図６】
2008018327.tif 000008
【図７】
2008018327.tif 000009
【図８】
2008018327.tif 000010
【図９】
2008018327.tif 000011
【図１０】
2008018327.tif 000012
【図１１】
2008018327.tif 000013
【図１２】
2008018327.tif 000014